(57)【要約】  【課題】らっきょうを深植え出来、しかも鉛直に真っ直ぐに植えられるプランターを実現し、さらに深植えする方法、葉が軟質な状態で収穫可能とすることで商品価値を高める。  【解決手段】トラクターの爪付ローターの後に設けて牽引されるプランターで一旦浅溝を形成し、この浅溝の底面に幅の狭い深溝を更に形成する深溝器の直後にらっきょうの球（苗）を挿入して植える。しかも、前記の深植え方法で植えたらっきょうが成長し収穫する前の所定期間だけ遮光ネットを被せて太陽光を遮蔽し、光合成を抑止して葉が青く硬くなるのを防止する。【選択図】図６
2019092496.tif 000002
【特許請求の範囲】
【請求項１】
板金でＶ字状の尖った形状に形成し、トラクターなどの農業機械の爪付ローターの後に牽引して溝を形成し、この溝の中央に幅の狭い溝を更に形成して溝がさらに深くなるように、下向きに突出した１又は複数の深溝器を設け、前記溝板と連結して一体化して成ることを特徴とするらっきょうのプランター。
【請求項２】
前記左右の溝板の後端をＬ形に切除して１又は複数の階段状に形成し、若しくは前記階段状の傾斜と同等の傾きの傾斜を形成し、前記苗の植え付け後に、前記左右の溝板の後端が通過した際に、両側の盛り土が前記らっきょうの苗側に前記の高い方の階段状又は傾斜を、次に低い方の階段状又は傾斜を乗り越えて流れ落ちる構造にしてあることを特徴とする請求項１に記載のらっきょうのプランター。
【請求項３】
前記の溝板の後端に設けた土寄せ器は、上から見た形状が逆ハの字状に設けた土寄せ板が左右の溝板の後端に連結部材を介して連結されており、両土寄せ板の下端は、土壌面とほぼ同じ高さであることを特徴とする請求項１に記載のプランター。
【請求項４】
トラクターの爪付ローターの後に設けて牽引されるプランターで一旦浅溝を形成し、この浅溝の底面に幅の狭い深溝を更に形成して、この深溝の中にらっきょうの球（苗）を挿入して植えることを特徴とするらっきょうの深植え方法。
【請求項５】
前記深溝を形成する深溝器の直後にらっきょうの球（苗）を挿入して植えることを特徴とする請求項４に記載のらっきょうの深植え方法。
【請求項６】
前記の深植え方法で植えたらっきょうが成長し収穫する前の所定期間だけ遮光ネットを設けて太陽光を遮蔽することを特徴とする請求項４又は請求項５に記載のらっきょうの深植え方法。
【発明の詳細な説明】
【技術分野】
【０００１】
本発明は、島らっきょうの苗を深く植え付けるプランターに関し、トラクターに牽引させて前進させる。
【背景技術】
【０００２】
島らっきょうとは、沖縄特産のらっきょうであり、本土の通常のらっきょうより玉（球根の部分）が小型で食べたときの刺激が少なく、食べやすいのが特長である。
そのため、人気があり品薄である。深植えでき、かつ真っ直ぐに伸びれば良いが、深植えが困難で、かつ曲がった状態で植わってしまう。そのまま伸びてしまい、不良品となるため、良品の生産が間に合わず、品薄状態が続いている。また、深植え出来ないと、太陽光が当たって硬くなり、可食部分が減少する。
この問題を解決するには、島らっきょうの苗が鉛直に真っ直ぐに伸び、かつ可食部分が増えるように深植えすることだが、真っ直ぐに伸びるには、苗を植える際に真っ直ぐに伸びるように、真っ直ぐに植えること、また可食部分が増えるように深植えする必要がある。
【先行技術文献】
【特許文献】
【０００３】
【特許文献１】特開平８−１８２４１０号
【特許文献２】特願2017-222189 号
【発明の概要】
【発明が解決しようとする課題】
【０００４】
このように、真っ直ぐに植え、かつ深植えすることが困難であり、島らっきょうの苗を真っ直ぐに、かつ深植えできるプランターが望まれるが、特許文献１のようなトラクターが提案されている。すなわち、ポット苗載置引出装置２２の載置部２３にネギのポット苗２６を複数個載置し、そのうち１個を引出し、ポット苗２６の先端を圃場の溝内に固定した後、トラクター１を運転して後進すると、耕耘ローター８と畦立板１０で直線上に畦立をし、溝切体１５で苗溝を形成し、その苗溝にネギ等のポット苗２６を順次植付け、覆土輪２５で覆土する。
しかしながら、特許文献１の技術では、予め植えたポット苗を用いるのであって、島らっきょうのように苗を直接に露地に植え付ける方法とは全く異なる。特に、ポット苗を用いたしても、ポットに、島らっきょうの苗を機械力で鉛直に植え付けるのが、至難な技である。また、可食部分が増えるように、深植えすることは不可能である。
【０００５】
一方、露地の畑に島らっきょうの苗を真っ直ぐに植えることのできるプランターとして、先に出願した特許文献２のようにＶ字状に尖った２枚板の溝形成器をトラクターに牽引させる構成を提案した。図１は特許文献２の島らっきょうのプランターの斜視図であり、２枚の溝板１、２でＶ状に形成して、Ｖ状に尖った先端３を前にしてトラクターの爪付ローター４の後に取付け、圃場の中で牽引する。２枚の溝板１、２の成す角度θは10〜30度程度と狭く、好ましくは20度程度で、鋭く尖った形状をしているので、爪付ローター４で耕転した土壌の中を牽引しても抵抗は小さく、土を左右両側に押し除けて前進して溝が形成される。溝板１、２の後端１ｅ、２ｅが通過すると、左右に押し除けた土は自由になり、一部は溝中に逆入する。
【０００６】
図２は、前記プランターで圃場中に溝を形成した状態を後方か見た図である。２枚の溝板１と２間は空間となるため、島らっきょうの苗を手で入れて立てると、間も無く前記後端１ｅ、２ｅが通過するため、左右の溝板１、２で押し除けられた土が自由になって一部が溝に流れ込み、その際に前記苗が左右から流れ込んだ土で挟持されて、安定する。また、左右から流れ込んだ先端同士が衝突して前後に拡がるので、苗は前後からも挟持される。従って、植え付けられた苗は鉛直に立った状態で安定する。なお、２枚の溝板１と２で形成された溝の底５は平坦な土壌面であり、また溝板１と２の前進で押し除けられた土は６、７のように盛り上がった状態となる。
しかしながら、溝は形成できても深植えは困難であり、特に土壌の特性がほくほくした水はけの良好な土質で無い限り、深植えは不可能で、可食部分は増えない。
本発明の技術的課題は、このような問題に着目し、らっきょうを深植え出来、しかも鉛直に真っ直ぐに植えられるプランターを実現する。
【課題を解決するための手段】
【０００７】
本発明の技術的課題は次のような手段によって解決される。請求項１は、板金でＶ字状の尖った形状に形成し、トラクターなどの農業機械の爪付ローターの後に牽引して溝を形成し、この溝の中央に幅の狭い溝を更に形成して溝がさらに深くなるように、下向きに突出した１又は複数の深溝器を設け、前記溝板と連結して一体化して成ることを特徴とするらっきょうのプランターである。
【０００８】
請求項２は、前記２枚の溝板の後端をＬ形に切除して１又は複数の階段状に形成し、若しくは前記階段の傾斜と同等の傾きの傾斜を形成し、前記苗の植え付け後に、前記２枚の溝板の後端が通過した際に、両側の盛り土が前記浅溝及び／又は深溝の中に前記の高い方の階段状又は傾斜を次に低い方の階段状又は傾斜を乗り越えて流れ落ちる構造にしてあることを特徴とする請求項１に記載のらっきょうのプランターである。
【０００９】
請求項３は、前記の溝板の後端に設けた土寄せ器は、上から見た形状が逆ハの字状に設けた土寄せ板が左右の溝板の後端に連結部材を介して連結されており、両土寄せ板の下端は、土壌面とほぼ同じ高さであることを特徴とする請求項１に記載のプランターである。なお、「らっきょう」とは、通常のらっきょうの他に、島らっきょうも含まれるものとする。
【００１０】
請求項４は、トラクターの爪付ローターの後に設けて牽引されるプランターで一旦浅溝を形成し、この浅溝の底面に幅の狭い深溝を更に形成して、この深溝の中にらっきょうの球（苗）を挿入して植えることを特徴とするらっきょうの深植え方法である。
【００１１】
請求項５は、前記深溝を形成する深溝器の直後にらっきょうの球（苗）を挿入して植えることを特徴とする請求項４に記載のらっきょうの深植え方法である。
【００１２】
請求項６は、前記の深植え方法で植えたらっきょうが成長し収穫する前の所定期間だけ遮光ネットを設けて太陽光を遮蔽することを特徴とする請求項４又は請求項５に記載のらっきょうの深植え方法である。
【発明の効果】
【００１３】
請求項１のように、板金でＶ字状の尖った形状に形成して、トラクターの爪付ローターの後に設けて牽引可能とし、左右の溝板の通過で形成される溝の中央に幅の狭い溝を更に形成して溝がさらに深くなるように、下向きに突出した１又は複数の深溝器を設けて前記溝板と連結して一体化したので、前記２枚の溝板間に形成された空間から前記深溝中にらっきょうの球（苗）を挿入して植えることができ、しかも深溝であるから、太陽光の当たらない軟質な可食部分が増える。
【００１４】
請求項２のように、前記２枚の溝板の後端をＬ形に切除して１又は複数の階段状に形成し、若しくは前記階段の傾斜と同等の傾きの傾斜を形成し、前記苗の植え付け後に、前記２枚の溝板の後端が通過した際に、両側の盛り土が、らっきょう苗の両側に前記の高い方の階段状又は傾斜、次に低い方の階段状又は傾斜を乗り越えて流れ落ちる構造にしてあるので、植えたらっきょう苗の左右両側に落下した土で鉛直に保持されて安定すると共に太陽光の当たらない可食部分が増える。
【００１５】
請求項３のように、前記の溝板の後端に設けた土寄せ器は、上から見た形状が逆ハの字状に設けた土寄せ板が左右の溝板の後端に連結部材を介して連結されており、両土寄せ板の下端は、土壌面とほぼ同じ高さであるので、前記土寄せ器で寄せた土がらっきょう苗の周りを覆うので、鉛直に安定すると共に太陽光の当たらない可食部分が増える。
【００１６】
請求項４のように、トラクターの爪付ローターの後に設けて牽引されるプランターで一旦浅溝を形成し、この浅溝の底面に幅の狭い深溝を更に形成して、この深溝の中にらっきょうの球（苗）を挿入して植えるので、深植えが可能となり鉛直な状態で安定する。しかも、太陽光の当たらない軟質な可食部分が増える。
【００１７】
請求項５のように、前記深溝を形成する深溝器の直後にらっきょうの球（苗）を挿入して植えるが、前記深溝器の直後は短時間だけ空間になるので、らっきょうの球（苗）を容易に挿入し植えることができる。間もなく、土が深溝中に流れ込んで埋まるので、らっきょう苗は鉛直に安定する。
【００１８】
請求項６のように、前記の深植え方法で植えたらっきょうが成長し収穫する前の所定期間だけ遮光ネットを設けて太陽光を遮蔽するので、葉の光合成は抑制されて軟らかく、かつ白みがかった色となる。
【図面の簡単な説明】
【００１９】
【図１】特許文献２のらっきょうのプランターの斜視図である。
【図２】前記プランターで圃場中に溝を形成した状態を後方か見た図である。
【図３】本発明によるプランターの右側面図である。
【図４】深溝の構成を示す断面図である。
【図５】プランターより後方に配設して牽引する土寄せユニットの平面図である。
【図６】プランターの後端に連結部材を介して土寄せ器を取付けた平面図である。
【図７】前記の土寄せ器の構成を示すプランター全体の右側面図である。
【発明を実施するための形態】
【００２０】
次に本発明によるらっきょうのプランターが実際上どのように具体化されるか実施形態で説明する。図３は、本発明によるらっきょうのプランターの右側面図であり、２枚の溝板１、２でＶ状に形成して、Ｖ状に尖った先端３を前にしてトラクターの爪付ローター４の後に取付け、圃場の中で牽引させる点は、特許文献２と同じである。２枚の溝板１、２の成す先端３は鋭く尖った形状をしているので、前記爪付ローター４で耕した土壌の中を牽引しても抵抗は小さく、土を左右両側に押し除けて前進し、深さ１０ｃｍ程度の浅溝が形成される。２枚の溝板１と２で形成された溝の底５は、溝板１、２の通過で平坦な溝底面になっており、また溝板１と２の前進で押し除けられた盛り土６、７のように盛り上がった状態となる。なお、前記溝板１と２を連結固定するブリッジ部ｂを介在させてある。
【００２１】
溝板１と２との間に設けた深溝器81、82は、図４のように、前記溝板１、２やＶ字状尖端３と連結器Ｃで連結され、一体的に牽引前進する構造になっている。この深溝器81、82は、溝底５に更に深い溝９を形成して、その１０ｃｍ程度の深溝９中にらっきょうの苗（球）Ｒを挿入して深植えする。従って、深溝器81、82は、釘やナイフ状体を複数本設けてもよく、溝板１、２と同様にＶ状に形成し且つ小型化した単一の構成８でもよく、特に限定しない。
実際には、前記深溝器８（81、82）の直後にらっきょうの球（苗）を挿入するが、直ぐに深溝器８（81、82）の前進で生じた盛り土が深溝９内に左右から流れ落ちて、らっきょうの苗が鉛直に保持される。
【００２２】
前記溝板１、２の後端はＬ字状に切除して１段又は２段の階段状１１、１２、２１・２２を形成し、段差を設けてある。溝板１、２の後端が通過する際に先ず高い方の段１１・２１から高い盛り土６・７が乗り越えて溝底５や深溝９に落下し、次に低い方の段１２・２２より高い盛り土６・７も乗り越えて溝底５や深溝９に落下する。このように、落下して苗の左右両側から押圧して鉛直に保持し、安定する。プランターがさらに前進して、下段溝板１１と２１も通過すると、その外側の残余の盛り土も完全に自由になるので、らっきょうの苗の後ろ側に流れ込んで後ろからも押圧保持する。更に前進すると、下段溝板１１と２１の外側の残余の盛り土はらっきょうの苗の前側にも流れ込んで前側からも押圧保持するし、結局、左右と前後から押圧保持され、鉛直状態で安定すると共に太陽光の当たる領域が減るので、軟質な可食部分が増える
【００２３】
なお、前記Ｌ形の鉛直辺及び水平辺から成る傾斜を形成し、階段状に代えて鎖線で示すような傾斜にすることもできる。この場合は、高い方の傾斜から先に乗り越えて落下し、徐々に低い方の傾斜も乗り越えて落下する。従って、高い方から低い方に連続的に移行し落下することになる。前記１又は複数の階段状に代えて多数の小さな階段状を形成した場合も、複数の階段に含まれるものとする。
【００２４】
実施例では、このらっきょうプランターは、３組をトラクーに牽引させるが、何組牽引させるかは特定しない。図５は、前記プランターより後方に配設し牽引させる土寄せユニットの平面図である。共通の基板１０には、各土寄せブレード３１…、３２…をボルトＢで取付け、ナットを締めると固定される。先に植えた前記の苗に両側から土寄せするためであるが、前記の各Ｖ状溝板からなるプランターの後ろに各土寄せブレード３１…、３２…を配置してあるので、圃場が傾斜していたりすると、トラクター側に立てたピンＰやボルトをスリットＳ1 ・Ｓ2 に挿入した状態で、傾斜に応じて調節した後にナットを締めて固定する。
【００２５】
図６は、図５のブレード３１…、３２…を各溝板１、２ごとに後端に連結した実施例の平面図であり、プランターのみを右側面図で表現したのが図７である。図３のように溝板１、２の後端をＬ字状に切除する構成に代えて、土寄せ器１３、２３を連結する構成は、平面図で見た場合、逆さハ字状に形成して、両側の土を掻き寄せる。すなわち、斜めの帯板状の土寄せ板１３、２３を連結部材１４、２４を介して連結してある。この際、連結部を溶接したり、足りない部分は溶接して継ぎ足してもよい。前記の土寄せ板１３、２３は、前記の盛り土６、７をらっきょうの苗の根本に強制的に掻き寄せるためであるから、下端は土壌面とほぼ同じ高さにする。
【００２６】
このように、プランターで押し除けられた前記盛り土６、７は全部、深溝９中に植えたらっきょう苗の根本に土寄せ板１３、２３で掻き寄せたり、図１の階段状の後端の通過時に、らっきょう苗の根本に流れ落ちるので、らっきょう苗は鉛直に保持され安定する。また、２０ｃｍ程度の深植えと相まってらっきょう苗の多くが土で被さるので、日の当たらない軟質の部分が増えて食べられる領域も増大する。加えて、らっきょうを収穫する前に、遮光ネットを設けて太陽光を遮断するので、葉も軟質な可食部分となる。
【産業上の利用可能性】
【００２７】
以上のように、Ｖ状に形成した左右の溝板間に深溝器を配設して浅溝の底に深溝を形成してらっきょうの球（苗）を深植えし、溝板の後端の階段状部や別に連結した土寄せ器で掻き寄せた土をらっきょう苗の根本に寄せるので、深植えしたらっきょうの苗が鉛直に保持されて安定する。また、遮光ネットで太陽光を遮断して、葉も軟質な可食領域となり、可食部分が増える。
【符号の説明】
【００２８】
１、２  溝板
Ｃ  連結器
１ｅ、２ｅ  溝板の後端縁
11・21  高い方の段
12・22  低い方の段
３  Ｖ状に尖った先端
４  ローター
５  溝底
ｂ  ブリッジ部
６、７  土の盛り上がり
81、82  深溝器を構成する部材
８  深溝器
９  深溝
Ｒ  らっきょうの苗
10  ベース
31…、32…  土寄せブレード
Ｂ  ボルト
13・23  土寄せ板
14・24  連結部材
【図１】
2019092496.tif 000003
【図２】
2019092496.tif 000004
【図３】
2019092496.tif 000005
【図４】
2019092496.tif 000006
【図５】
2019092496.tif 000007
【図６】
2019092496.tif 000008
【図７】
2019092496.tif 000009
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
板金でＶ字状の尖った形状に形成し、トラクターなどの農業機械の爪付ローターの後に牽引して溝を形成し、この溝の底面の中央に幅の狭い溝を更に形成して溝がさらに深くなるように、下向きに突出した１又は複数の深溝器を設け、前記溝板と連結して一体化して成ることを特徴とするらっきょうのプランター。
【請求項２】
前記左右の溝板の後端をＬ形に切除して１又は複数の階段状に形成し、若しくは前記階段状の傾斜と同等の傾きの傾斜を形成し、前記苗の植え付け後に、前記左右の溝板の後端が通過した際に、両側の盛り土が前記らっきょうの苗側に前記の高い方の階段状又は傾斜を、次に低い方の階段状又は傾斜を乗り越えて流れ落ちる構造にしてあることを特徴とする請求項１に記載のらっきょうのプランター。
【請求項３】
前記の溝板の後端に設けた土寄せ器は、上から見た形状が逆ハの字状に設けた土寄せ板が左右の溝板の後端に連結部材を介して連結されており、両土寄せ板の下端は、土壌面とほぼ同じ高さであることを特徴とする請求項１に記載のプランターである。なお、「らっきょう」とは、通常のらっきょうの他に、島らっきょうも含まれるものとする。
【請求項４】
トラクターの爪付ローターの後に設けて牽引されるプランターで一旦浅溝を形成し、この浅溝の底面に幅の狭い深溝を更に形成して、この深溝の中にらっきょうの球（苗）を挿入して植えることを特徴とするらっきょうの深植え方法。
【請求項５】
前記の深植え方法で植えたらっきょうが成長し収穫する前の所定期間だけ遮光ネットを設けて太陽光を遮蔽することを特徴とする請求項４に記載のらっきょうの深植え方法。
【請求項６】
トラクターの爪付ローターの後に設けて牽引されるプランターで一旦浅溝を形成し、この浅溝の底面に幅の狭い深溝を更に形成して、この深溝の中にらっきょうの球（苗）を挿入して植えて栽培したことを特徴とするらっきょう。
【手続補正２】
【補正対象書類名】明細書
【補正対象項目名】全文
【補正方法】変更
【補正の内容】
【発明の詳細な説明】
【技術分野】
【０００１】
本発明は、島らっきょうの苗を深く植え付けるプランターに関し、トラクターに牽引させて前進させる。
【背景技術】
【０００２】
島らっきょうとは、沖縄特産のらっきょうであり、本土の通常のらっきょうより玉（球根の部分）が小型で食べたときの刺激が少なく、食べやすいのが特長である。
そのため、人気があり品薄である。深植えでき、かつ真っ直ぐに伸びれば良いが、深植えが困難で、かつ曲がった状態で植わってしまう。そのまま伸びてしまい、不良品となるため、良品の生産が間に合わず、品薄状態が続いている。また、深植え出来ないと、太陽光が当たって硬くなり、可食部分が減少する。
この問題を解決するには、島らっきょうの苗が鉛直に真っ直ぐに伸び、かつ可食部分が増えるように深植えすることだが、真っ直ぐに伸びるには、苗を植える際に真っ直ぐに伸びるように、真っ直ぐに植えること、また可食部分が増えるように深植えする必要がある。
【先行技術文献】
【特許文献】
【０００３】
【特許文献１】特開平８−１８２４１０号
【特許文献２】特願2017-222189 号
【発明の概要】
【発明が解決しようとする課題】
【０００４】
このように、真っ直ぐに植え、かつ深植えすることが困難であり、島らっきょうの苗を真っ直ぐに、かつ深植えできるプランターが望まれるが、特許文献１のようなトラクターが提案されている。すなわち、ポット苗載置引出装置２２の載置部２３にネギのポット苗２６を複数個載置し、そのうち１個を引出し、ポット苗２６の先端を圃場の溝内に固定した後、トラクター１を運転して後進すると、耕耘ローター８と畦立板１０で直線上に畦立をし、溝切体１５で苗溝を形成し、その苗溝にネギ等のポット苗２６を順次植付け、覆土輪２５で覆土する。
しかしながら、特許文献１の技術では、予め植えたポット苗を用いるのであって、島らっきょうのように苗を直接に露地に植え付ける方法とは全く異なる。特に、ポット苗を用いたしても、ポットに、島らっきょうの苗を機械力で鉛直に植え付けるのが、至難な技である。また、可食部分が増えるように、深植えすることは不可能である。
【０００５】
一方、露地の畑に島らっきょうの苗を真っ直ぐに植えることのできるプランターとして、先に出願した特許文献２のようにＶ字状に尖った２枚板の溝形成器をトラクターに牽引させる構成を提案した。図１は特許文献２の島らっきょうのプランターの斜視図であり、２枚の溝板１、２でＶ状に形成して、Ｖ状に尖った先端３を前にしてトラクターの爪付ローター４の後に取付け、圃場の中で牽引する。２枚の溝板１、２の成す角度θは10〜30度程度と狭く、好ましくは20度程度で、鋭く尖った形状をしているので、爪付ローター４で耕転した土壌の中を牽引しても抵抗は小さく、土を左右両側に押し除けて前進して溝が形成される。溝板１、２の後端１ｅ、２ｅが通過すると、左右に押し除けた土は自由になり、一部は溝中に逆入する。
【０００６】
図２は、前記プランターで圃場中に溝を形成した状態を後方か見た図である。２枚の溝板１と２間は空間となるため、島らっきょうの苗を手で入れて立てると、間も無く前記後端１ｅ、２ｅが通過するため、左右の溝板１、２で押し除けられた土が自由になって一部が溝に流れ込み、その際に前記苗が左右から流れ込んだ土で挟持されて、安定する。また、左右から流れ込んだ先端同士が衝突して前後に拡がるので、苗は前後からも挟持される。従って、植え付けられた苗は鉛直に立った状態で安定する。なお、２枚の溝板１と２で形成された溝の底５は平坦な土壌面であり、また溝板１と２の前進で押し除けられた土は６、７のように盛り上がった状態となる。
しかしながら、溝は形成できても深植えは困難であり、特に土壌の特性がほくほくした水はけの良好な土質で無い限り、深植えは不可能で、可食部分は増えない。
本発明の技術的課題は、このような問題に着目し、らっきょうを深植え出来、しかも鉛直に真っ直ぐに植えられるプランターを実現する。
【課題を解決するための手段】
【０００７】
本発明の技術的課題は次のような手段によって解決される。請求項１は、板金でＶ字状に尖った形状に形成し、トラクターなどの農業機械の爪付ローターの後に牽引して溝を形成し、この溝の底面の中央に幅の狭い溝を更に形成して溝がさらに深くなるように、下向きに突出した１又は複数の深溝器を設け、前記溝板と連結して一体化して成ることを特徴とするらっきょうのプランターである。
【０００８】
請求項２は、前記２枚の溝板の後端をＬ形に切除して１又は複数の階段状に形成し、若しくは前記階段状の傾斜と同等の傾きの傾斜を形成し、前記苗の植え付け後に、前記２枚の溝板の後端が通過した際に、両側の盛り土が前記浅溝及び／又は深溝の中に前記の高い方の階段状又は傾斜を次に低い方の階段状又は傾斜を乗り越えて流れ落ちる構造にしてあることを特徴とする請求項１に記載のらっきょうのプランターである。
【０００９】
請求項３は、前記の左右の溝板の後端に設けた土寄せ器は、上から見た形状が逆ハの字状に設けた土寄せ板が左右の溝板の後端に連結部材を介して連結されており、両土寄せ板の下端は、土壌面とほぼ同じ高さであることを特徴とする請求項１に記載のプランターである。なお、「らっきょう」とは、通常のらっきょうの他に、島らっきょうも含まれるものとする。
【００１０】
請求項４は、トラクターの爪付ローターの後に設けて牽引されるプランターで一旦浅溝を形成し、この浅溝の底面に幅の狭い深溝を更に形成して、この深溝の中にらっきょうの球（苗）を挿入して植えることを特徴とするらっきょうの深植え方法である。
【００１１】
請求項５は、前記のようにして深植え方法で植えたらっきょうが成長し収穫する前の所定期間だけ遮光ネットを設けて太陽光を遮蔽することを特徴とする請求項４に記載のらっきょうの深植え方法である。
【００１２】
請求項６は、トラクターの爪付ローターの後に設けて牽引されるプランターで一旦浅溝を形成し、この浅溝の底面に幅の狭い深溝を更に形成して、この深溝の中にらっきょうの球（苗）を挿入して植えて栽培したらっきょうである。
【発明の効果】
【００１３】
請求項１のように、板金でＶ字状の尖った形状に形成し、トラクターの爪付ローターの後に設けて牽引し、左右の溝板の通過で形成された溝の底面の中央に幅の狭い溝を更に形成して溝がさらに深くなるように、下向きに突出した１又は複数の深溝器を設けて前記溝板と連結して一体化したので、前記２枚の溝板間に形成された空間から前記深溝中にらっきょうの球（苗）を挿入して植えることができ、しかも深溝であるから、太陽光の当たらない軟質な可食部分が増える。
【００１４】
請求項２のように、前記２枚の溝板の後端をＬ形に切除して１又は複数の階段状に形成し、若しくは前記階段状の傾斜と同等の傾きの傾斜を形成し、前記苗の植え付け後に、前記２枚の溝板の後端が通過した際に、両側の盛り土が、らっきょう苗の両側に前記の高い方の階段状又は傾斜、次に低い方の階段状又は傾斜を乗り越えて流れ落ちる構造にしてあるので、植えたらっきょう苗の左右両側に落下した土で鉛直に保持されて安定すると共に太陽光の当たらない可食部分が増える。
【００１５】
請求項３のように、前記の溝板の後端に設けた土寄せ器は、上から見た形状が逆ハの字状に設けた土寄せ板が左右の溝板の後端に連結部材を介して連結されており、両土寄せ板の下端は、土壌面とほぼ同じ高さであるので、前記土寄せ器で寄せた土がらっきょう苗の周りを覆うので、鉛直に安定すると共に太陽光の当たらない可食部分が増える。
【００１６】
請求項４のように、トラクターの爪付ローターの後に設けて牽引されるプランターで一旦浅溝を形成し、この浅溝の底面に幅の狭い深溝を更に形成して、この深溝の中にらっきょうの球（苗）を挿入して植えるので、深植えが可能となり鉛直な状態で安定する。しかも、太陽光の当たらない軟質な可食部分が増える。
【００１７】
請求項５のように、前記の深植え方法で植えたらっきょうが成長し収穫する前の所定期間だけ遮光ネットを設けて太陽光を遮蔽するので、葉の光合成は抑制されて軟らかく、かつ白みがかった色となる。
【００１８】
請求項６のように、トラクターの爪付ローターの後に設けて牽引されるプランターで一旦浅溝を形成し、この浅溝の底面に幅の狭い深溝を更に形成して、この深溝の中にらっきょうの球（苗）を挿入して植えて栽培したらっきょうは、深植えされているため、太陽光が照射される領域が少なく硬くならない。その結果、軟質な可食部分が増える。
【図面の簡単な説明】
【００１９】
【図１】特許文献２のらっきょうのプランターの斜視図である。
【図２】前記プランターで圃場中に溝を形成した状態を後方か見た斜視図である。
【図３】本発明によるプランターの右側面図である。
【図４】深溝の構成を示す断面図である。
【図５】プランターより後方に配設して牽引する土寄せユニットの平面図である。
【図６】プランターの後端に連結部材を介して土寄せ器を取付けた平面図である。
【図７】前記の土寄せ器の構成を示すプランター全体の右側面図である。
【発明を実施するための形態】
【００２０】
次に本発明によるらっきょうのプランターが実際上どのように具体化されるか実施形態で説明する。図３は、本発明によるらっきょうのプランターの右側面図であり、２枚の溝板１、２でＶ状に形成して、Ｖ状に尖った先端３を前にしてトラクターの爪付ローター４の後に取付け、圃場の中で牽引させる点は、特許文献２と同じである。２枚の溝板１、２の成す先端３は鋭く尖った形状をしているので、前記爪付ローター４で耕した土壌の中を牽引しても抵抗は小さく、土を左右両側に押し除けて前進し、深さ１０ｃｍ程度の浅溝が形成される。２枚の溝板１と２で形成された溝の底５は、溝板１、２の通過で平坦な溝底面になっており、また溝板１と２の前進で押し除けられた盛り土６、７のように盛り上がった状態となる。なお、前記溝板１と２を連結固定するブリッジ部ｂを介在させてある。
【００２１】
溝板１と２との間に設けた深溝器81、82は、図４のように、前記溝板１、２やＶ字状尖端３と連結器Ｃで連結され、一体的に牽引前進する構造になっている。この深溝器81、82は、溝底５に更に深い溝９を形成して、その１０ｃｍ程度の深溝９中にらっきょうの苗（球）Ｒを挿入して深植えする。従って、深溝器81、82は、釘やナイフ状体を複数本設けてもよく、図６、図７のように溝板１、２と同様にＶ状に形成し且つ小型化した単一の構成８でもよく、特に限定しない。
実際には、前記深溝器８（81、82）の直後にらっきょうの球（苗）を挿入するが、直ぐに深溝器８（81、82）の前進で生じた盛り土が深溝９内に左右から流れ落ちて、らっきょうの苗が鉛直に保持される。
【００２２】
前記溝板１、２の後端はＬ字状に切除して１段又は２段の階段状１１、１２、２１・２２を形成し、段差を設けてある。溝板１、２の後端が通過する際に先ず高い方の段１２・２２から高い盛り土６・７が乗り越えて溝底５や深溝９に落下し、次に低い方の段１１・２１より高い盛り土６・７も乗り越えて溝底５や深溝９に落下する。このように、落下して苗の左右両側から押圧して鉛直に保持し、安定する。プランターがさらに前進して、下段１１と２１も通過すると、その外側の残余の盛り土も完全に自由になるので、らっきょうの苗の後ろ側に流れ込んで後ろからも押圧保持する。更に前進すると、下段１１と２１の外側の残余の盛り土はらっきょうの苗の前側にも流れ込んで前側からも押圧保持するし、結局、左右と前後から押圧保持され、鉛直状態で安定すると共に太陽光の当たる領域が減るので、軟質な可食部分が増える
【００２３】
なお、前記Ｌ形の鉛直辺及び水平辺から成る傾斜を形成し、階段状に代えて鎖線で示すような傾斜にすることもできる。この場合は、高い方の傾斜から先に乗り越えて落下し、徐々に低い方の傾斜も乗り越えて落下する。従って、高い方から低い方に連続的に移行し落下することになる。前記１又は複数の階段状に代えて多数の小さな階段状を形成した場合も、複数の階段に含まれるものとする。
【００２４】
実施例では、このらっきょうプランターは、３組をトラクーに牽引させるが、何組牽引させるかは特定しない。図５は、前記プランターより後方に配設し牽引させる土寄せユニットの平面図である。共通の基板１０には、各土寄せブレード３１…、３２…をボルトＢで取付け、ナットを締めると固定される。先に植えた前記の苗に両側から土寄せするためであるが、前記の各Ｖ状溝板からなるプランターの後ろに各土寄せブレード３１…、３２…を配置してあるので、圃場が傾斜していたりすると、トラクター側に立てたピンＰやボルトをスリットＳ1 ・Ｓ2 に挿入した状態で、傾斜に応じて調節した後にナットを締めて固定する。
【００２５】
図６は、図５のブレード３１…、３２…を各溝板１、２ごとに後端に連結した実施例の平面図であり、プランターのみを右側面図で表現したのが図７である。図３のように溝板１、２の後端をＬ字状に切除する構成に代えて、土寄せ器１３、２３を連結する構成は、平面図で見た場合、逆さハ字状に形成して、両側の土を掻き寄せる。すなわち、斜めの帯板状の土寄せ板１３、２３を連結部材１４、２４を介して連結してある。この際、連結部を溶接したり、足りない部分は溶接して継ぎ足してもよい。前記の土寄せ板１３、２３は、前記の盛り土６、７をらっきょうの苗の根本に強制的に掻き寄せるためであるから、下端は土壌面とほぼ同じ高さにする。
【００２６】
このように、プランターで押し除けられた前記盛り土６、７は全部、深溝９中に植えたらっきょう苗の根本に土寄せ板１３、２３で掻き寄せたり、図３の階段状の後端の通過時に、らっきょう苗の根本に流れ落ちるので、らっきょう苗は鉛直に保持され安定する。また、２０ｃｍ程度の深植えと相まってらっきょう苗の多くが土で被さるので、日の当たらない軟質の部分が増えて食べられる領域も増大する。加えて、らっきょうを収穫する前に、遮光ネットを設けて太陽光を遮断するので、葉も軟質な可食部分となる。
【産業上の利用可能性】
【００２７】
以上のように、Ｖ状に形成した左右の溝板間に深溝器を配設して浅溝の底に深溝を形成してらっきょうの球（苗）を深植えし、溝板の後端の階段状部や別に連結した土寄せ器で掻き寄せた土をらっきょう苗の根本に寄せるので、深植えしたらっきょうの苗が鉛直に保持されて安定する。また、遮光ネットで太陽光を遮断して、葉も軟質な可食領域となり、可食部分が増える。
【符号の説明】
【００２８】
１、２  溝板
Ｃ  連結器
１ｅ、２ｅ  溝板の後端縁
11・21  高い方の段
12・22  低い方の段
３  Ｖ状に尖った先端
４  ローター
５  溝底
ｂ  ブリッジ部
６、７  土の盛り上がり
81、82  深溝器を構成する部材
８  深溝器
９  深溝
Ｒ  らっきょうの苗
10  ベース
31…、32…土寄せブレード
Ｂボルト
13・23  土寄せ板
14・24  連結部材
【手続補正３】
【補正対象書類名】図面
【補正対象項目名】全図
【補正方法】変更
【補正の内容】
【図１】
2019092496.tif 000010
【図２】
2019092496.tif 000011
【図３】
2019092496.tif 000012
【図４】
2019092496.tif 000013
【図５】
2019092496.tif 000014
【図６】
2019092496.tif 000015
【図７】
2019092496.tif 000016